【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段より得られた撮像データから画像サイズの縮小を行なう画像縮小手段と、
前記画像縮小手段にて縮小された画像データから動画像データを構成する動画像構成手段と、
画像データを画像処理する画像処理手段と、
ネットワーク通信手段と、
動画撮像中に外部からの制御指示に応じて前記撮像手段から得られたフレーム画像データを記憶する画像データ記憶手段とを有し、
前記画像処理手段は、前記画像データ記憶手段に記憶された画像データを、前記動画像データを構成する１フレーム毎の動画像処理の非動作期間に分割して画像処理することを特徴とする撮像装置。
【請求項２】
撮像手段と、
前記撮像手段から得られた画像データを画像処理する画像処理手段と、
前記画像処理手段にて画像処理されたデータから縮小画像処理を行なう画像縮小手段と、
前記画像縮小手段にて縮小された画像データから動画像データを構成する動画像構成手段と、
ネットワーク通信手段と、
動画撮像中に外部からの制御指示に応じて前記画像処理手段にて画像処理されたフレーム画像データを記憶する画像データ記憶手段と、
前記画像処理手段で画像処理されたデータを予め定めてあるフォーマットに応じて圧縮処理する圧縮手段とを有し、
前記圧縮手段は、前記画像データ記憶手段に記憶された画像データを、前記動画像データを構成する１フレーム毎の動画像圧縮処理の非動作期間に分割して圧縮処理することを特徴とする撮像装置。
【請求項３】
前記撮像手段は、前記動画像データを構成する１フレーム期間内で全画素読み出し可能な撮像素子であることを特徴とする請求項１または２に記載の撮像装置。
【請求項４】
前記画像縮小手段にて縮小された動画像構成用データを一時的にバッファリングするためのバッファメモリー手段を有し、
前記画像縮小手段にて縮小された画像データを常に前記バッファメモリー手段に記憶し、前記動画像データを構成する１フレーム期間内の所定期間経過後より動画像処理を開始することを特徴とする請求項１に記載の撮像装置。
【請求項５】
前記画像データ記憶手段に記憶された画像フレームから所定のフレーム期間経過後より分割処理を開始することを特徴とする請求項１または２に記載の撮像装置。
【請求項６】
前記画像データ記憶手段に記憶する画像データは、静止画像を構成する画像データであることを特徴とする請求項１または２に記載の撮像装置。
【請求項７】
動画像データに対応した動画読み出しモードと静止画像データに対応した静止画読み出しモードとの複数のモードで読み出し可能な撮像手段と、
前記撮像手段の静止画像データに対応した静止画読み出しモードで読み出した画像データの縮小処理を行なう画像縮小手段と、
前記動画像データ及び静止画像データを画像処理する画像処理手段と、
ネットワーク通信手段と、
動画撮像中に外部からの制御指示に応じて前記撮像手段の静止画読み出しモードで読み出した画像データを記憶する画像データ記憶手段とを有し、
前記画像処理手段は、前記画像データ記憶手段に記憶された画像データを、前記動画像データを構成する１フレーム毎の動画像処理の非動作期間に分割して画像処理することを特徴とする撮像装置。
【請求項８】
前記静止画読み出しモードは、撮像素子の前記動画像データを構成する１フレーム期間内で全画素読み出し可能なモードであることを特徴とする請求項７に記載の撮像装置。
【請求項９】
前記画像縮小手段にて縮小された画像データをバッファリングするためのバッファメモリー手段と、
静止画像読み出しフレーム期間のみ前記画像縮小手段にて縮小された画像データから動画像データを構成する動画像構成手段とを有することを特徴とする請求項７または８に記載の撮像装置。
【請求項１０】
前記撮像手段の静止画像データに対応した読み出しモードは、前記動画像データを構成する複数フレームの読み出し期間が必要な撮像素子で構成されるモードであり、前記撮像素子の静止画読み出しモードにて、全ての画像データ読み出し期間終了後、前記画像データ記憶手段に記憶された画像データを、前記動画像データを構成する１フレーム毎の動画像処理の非動作期間に分割して画像処理することを特徴とする請求項７または８に記載の撮像装置。
【請求項１１】
撮像手段より得られた撮像データから画像サイズの縮小を行なう画像縮小工程と、
前記画像縮小工程にて縮小された画像データから動画像データを構成する動画像構成工程と、
画像データを画像処理する画像処理工程と、
動画撮像中に外部からの制御指示に応じて前記撮像手段から得られたフレーム画像データをメモリに記憶する画像データ記憶工程とを有し、
前記画像処理工程においては、前記画像データ記憶工程によって記憶された画像データを、前記動画像データを構成する１フレーム毎の動画像処理の非動作期間に分割し、前記画像データから分割された各画像データを画像処理することを特徴とする撮像方法。
【請求項１２】
請求項１１に記載の撮像方法の各工程をコンピュータにて実行させるためのプログラムを記憶したことを特徴とするコンピュータ読み取り可能な記憶媒体。
【請求項１３】
請求項１１に記載の撮像方法の各工程をコンピュータにて実行させることを特徴とするコンピュータプログラム。
【手続補正２】
【補正対象書類名】明細書
【補正対象項目名】０００７
【補正方法】変更
【補正の内容】
【０００７】
本発明の撮像装置は、撮像手段と、前記撮像手段より得られた撮像データから画像サイズの縮小を行なう画像縮小手段と、前記画像縮小手段にて縮小された画像データから動画像データを構成する動画像構成手段と、画像データを画像処理する画像処理手段と、ネットワーク通信手段と、動画撮像中に外部からの制御指示に応じて前記撮像手段から得られたフレーム画像データを記憶する画像データ記憶手段とを有し、前記画像処理手段は、前記画像データ記憶手段に記憶された画像データを、前記動画像データを構成する１フレーム毎の動画像処理の非動作期間に分割して画像処理することを特徴とする。
また、本発明の撮像装置の他の特徴とするところは、撮像手段と、前記撮像手段から得られた画像データを画像処理する画像処理手段と、前記画像処理手段にて画像処理されたデータから縮小画像処理を行なう画像縮小手段と、前記画像縮小手段にて縮小された画像データから動画像データを構成する動画像構成手段と、ネットワーク通信手段と、動画撮像中に外部からの制御指示に応じて前記画像処理手段にて画像処理されたフレーム画像データを記憶する画像データ記憶手段と、前記画像処理手段で画像処理されたデータを予め定めてあるフォーマットに応じて圧縮処理する圧縮手段とを有し、前記圧縮手段は、前記画像データ記憶手段に記憶された画像データを、前記動画像データを構成する１フレーム毎の動画像圧縮処理の非動作期間に分割して圧縮処理することを特徴とする。
また、本発明の撮像装置のその他の特徴とするところは、動画像データに対応した動画読み出しモードと静止画像データに対応した静止画読み出しモードとの複数のモードで読み出し可能な撮像手段と、前記撮像手段の静止画像データに対応した静止画読み出しモードで読み出した画像データの縮小処理を行なう画像縮小手段と、前記動画像データ及び静止画像データを画像処理する画像処理手段と、ネットワーク通信手段と、動画撮像中に外部からの制御指示に応じて前記撮像手段の静止画読み出しモードで読み出した画像データを記憶する画像データ記憶手段とを有し、前記画像処理手段は、前記画像データ記憶手段に記憶された画像データを、前記動画像データを構成する１フレーム毎の動画像処理の非動作期間に分割して画像処理することを特徴とする。
本発明の撮像方法は、撮像手段より得られた撮像データから画像サイズの縮小を行なう画像縮小工程と、前記画像縮小工程にて縮小された画像データから動画像データを構成する動画像構成工程と、画像データを画像処理する画像処理工程と、動画撮像中に外部からの制御指示に応じて前記撮像手段から得られたフレーム画像データをメモリに記憶する画像データ記憶工程とを有し、前記画像処理工程においては、前記画像データ記憶工程によって記憶された画像データを、前記動画像データを構成する１フレーム毎の動画像処理の非動作期間に分割し、前記画像データから分割された各画像データを画像処理することを特徴とする。